(57)【要約】【課題】  トラバースユニットの先端に設けたボスをスライドカムのカム溝に遊嵌し、該スライドカムをスライドすることで上昇してターンテーブルに装着したディスクをクランプするクランプ機構を備えたディスク装置であって、クランプ及びアンクランプ時にカム溝を移動するボスによって騒音が発生しないようにしたディスク装置の提供。【解決手段】  ボス２９にスリット溝３３を軸方向に形成して複数のボス片３４ａ，３４ｂに分割し、ボス２９がカム溝３０を移動する際に発生する衝撃を緩和する。【選択図】    図６
2005135508.tif 000002
【特許請求の範囲】
【請求項１】
トラバースユニットの先端に設けたボスをスライドカムのカム溝に遊嵌し、該スライドカムをスライドすることで上昇してターンテーブルに装着したディスクをクランプするクランプ機構を備えたディスク装置において、上記ボスにスリット溝を形成したことを特徴とするクランプ機構を備えたディスク装置。
【請求項２】
上記スリット溝を突出したボスの軸方向に形成した請求項１記載のクランプ機構を備えたディスク装置。
【請求項３】
上記スリット溝を突出したボスの軸方向に対して垂直に形成した請求項１記載のクランプ機構を備えたディスク装置。
【請求項４】
上記スリット溝を突出したボスの軸方向に対して垂直に、しかも交互に複数形成した請求項１記載のクランプ機構を備えたディスク装置。
【請求項５】
上記スリット溝を突出したボスの軸方向に対して垂直に、しかも同じ側に複数形成した請求項１記載のクランプ機構を備えたディスク装置。
【請求項６】
上記ボスの外形を概略円柱形状又は概略球体形状とした請求項１、請求項２、請求項３、請求項４、請求項５記載のクランプ機構を備えたディスク装置。
【請求項７】
上記ボスが延びるトラバースユニットの先端面に凹部を設け、該凹部底からボスを延ばした請求項１、請求項２、請求項３、請求項４、請求項５、請求項６記載のクランプ機構を備えたディスク装置。
【発明の詳細な説明】
【技術分野】
【０００１】
本発明は再生位置へ搬入されたディスクをターンテーブルに装着・クランプする際に、又逆にクランプが解除される際に騒音が発生しないようにしたクランプ機構に特徴があるディスク装置に関するものである。
【背景技術】
【０００２】
トレイに載ったディスクは該トレイの搬入と共に再生位置へ移動し、ここでトラバースユニットが上昇することでディスクはターンテーブルに装着され、その後クランプされる。逆に、再生されたディスクを取り出す場合には、トラバースユニットが降下することで装着されているディスクはトレイに載置されて、該トレイと共に搬出される。
【０００３】
図１０はディスク装置側面の断面図を示しているが、(ａ)ではトレイ１が搬出された状態で、トラバースユニット２は斜めに降下している。そこで、トレイ１にディスクを載置して装置内へ搬入するならば、トラバースユニット２が上昇してディスクはターンテーブル３に装着され、しかもクランパー４にて挟み込まれてクランプされる。
【０００４】
上記トラバースユニット２の先端にはボス５が設けられ、該ボス５はスライドカム６のカム溝７に嵌っていて、スライドカム６が左右にスライドすることで(上記図１０では奥行き方向へスライドすることで)トラバースユニット２は昇降動することが出来る。図１１はスライドカム６にトラバースユニット２の先端ボス５がカム溝７に嵌っている場合を示す概略図である。カム溝７は傾斜溝に両水平溝が連続して形成され、その為にスライドカム６が左右にスライドするならばボス５は上下動して、トラバースユニット２は昇降動することが出来る。
【０００５】
そして、スライドカム６がスライドしてボス５が傾斜溝と水平溝間を通過する場合、衝撃にて騒音が発生する。この騒音はディスク装置を操作する人に聞こえる為に耳障りとなる。特に高級なディスク装置ともなれば、無くさなくてはならない騒音である。
【０００６】
特開２００３−２２３７７６号に係る「ディスク装置」では、ドライブシャーシの自由端との対向箇所に配置したカム板のカム溝に案内されて昇降動作される可動体に、防振ゴムでなる第２緩衝体を介してドライブシャーシの自由端を連結している。すなわち、ドライブシャーシの自由端の幅方向中央部に突設した突起に中空筒状のキャップ型合成樹脂成形体である軸体が外嵌合され、その軸体と突起との間に突起に嵌合された筒状の第２緩衝体が圧入状態で介在している。この第２緩衝体を介して軸体が突起及びドライブシャーシの自由端に対して非接触状態で突起に保持されている。
【０００７】
軸体はカム溝に嵌ってスライドカムがスライドすればドライブシャーシは昇降動するが、この際、第２緩衝体が圧縮変形して衝撃が緩和され、衝撃に基づく騒音の発生を抑えることが出来る。しかし、ボスの形態をこのような複雑な構造とすることでコストは高くなってしまう。
【特許文献１】特開２００３−２２３７７６号に係る「ディスク装置」
【発明の開示】
【発明が解決しようとする課題】
【０００８】
このように、トラバースユニットを昇降動させるために、スライドカムのカム溝に遊嵌するボスには上記のごとき問題がある。本発明が解決しようとする課題はこの問題点であり、極めて簡単な構造でもって、騒音を伴うことなくトラバースユニットが昇降動してディスクの装着・クランプを行うことが出来るディスク装置を提供する。
【課題を解決するための手段】
【０００９】
本発明のディスク装置の基本構造は従来通りであり、装置内部へ搬入されて来たディスクをターンテーブルに装着するために、トラバースユニットを上昇させる。このトラバースユニットの昇降手段としてスライドカムを設け、該スライドカムのカム溝にはトラバースユニット先端から突出するボスが遊嵌し、そしてボスにはスリット溝が形成されて複数のボス片に分断され、撓み易くしている。
【００１０】
従って、ボス片は衝撃に対して撓み変形し、衝撃力を緩和することが出来る。ここで、スリット溝の幅及び長さは自由であり、又ボスに対してのスリット溝の向き及び本数も限定しない。時には、トラバースユニット先端のホルダー表面に凹部を形成し、該ボスを凹部底から立ち上げることでボス片の長さを大きくすることも出来、ボス片の撓み変形をさらに助長することが可能である。
【発明の効果】
【００１１】
本発明に係るディスク装置のクランプ機構は、トラバースユニットの先端ボスにスリット溝を形成することで、複数のボス片を設けている。従って、スライドカムのカム溝に遊嵌するボスは、スライドカムのスライドに伴ってボス片が撓み変形して、衝撃が緩和される。その為に、該衝撃に伴う騒音の発生を防止し、トラバースユニットの昇降動にて行われるディスクのクランプ動作及びアンクランプ動作が静かに行われる。
【００１２】
そして、該ボスのスリット溝はトラバースユニットのホルダーと共に一体成形され、スリット溝の無いボスに比較して製作コストの負担は殆ど無く、特開２００３−２２３７７６号に係る「ディスク装置」にて採用されているボスに比較して製作は簡単である。一方、スリット溝を備えたボスを形成する場合、従来の金型を修正することで該スリット溝を成形することが出来、新たな金型を製作する必要はない。
【実施例】
【００１３】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１４】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１５】
図２は本発明のディスク装置の内部構造を示している平面図であり、トレイ１１が開いている状態を示している。トレイ１１の上面には円形の浅い溝が形成されていて、該溝にディスクが嵌ってセットされる。又下面側にはトレイラック１５が前後方向に設けられ、該トレイラック１５に沿って概略Ｌ型のトレイガイド溝１６を設けている。そしてトレイラック１５にはトレイ開閉ギア１７が噛み合い、トレイガイド溝１６にはカムロッドボス１８が遊嵌している。
【００１６】
上記のトレイ開閉ギア１７は送りモータ１９にて回転駆動され、該トレイ開閉ギア１７が回転することでトレイラック１５及びトレイ１１は後退して閉じることが出来る。該トレイ１１は定められた距離を前進、後退動することで開閉することになるが、概略Ｌ型のトレイガイド溝１６はトレイラック１５と平行を成す縦ガイド溝２０とトレイラック１５に対して垂直を成す横ガイド溝２１、及び縦ガイド溝２０と横ガイド溝２１の間に形成されるコーナーガイド溝２２から成っている。又、縦ガイド溝２０の後方端部は湾曲して延びている。
【００１７】
従って、トレイ１１が開く為に前進する場合、縦ガイド溝２０に遊嵌しているカムロッドボス１８が湾曲部２３に差し掛かることで該トレイ１１は停止する。又トレイ１１が閉じる為に後退する場合、縦ガイド溝２０に遊嵌しているカムロッドボス１８がコーナーガイド溝２２に差し掛かることで該トレイ１１は停止する。すなわち、トレイガイド溝１６に沿ってカムロッドボス１８が動き、スライドカム２４もトレイガイド溝１６に沿って移動する。
【００１８】
図３はトレイ１１が後退して閉じた状態であり、カムロッドボス１８はトレイガイド溝１６のコーナーガイド溝２２に位置している。従って、スライドカム２４は右方向へ移動し、トレイラック１５から外れたトレイ開閉ギア１７はスライドカム２４の片端部に設けているスライドカムラック２５と噛み合うことになる。そしてトレイ開閉ギア１７が引き続き回転するならば、カムロッドボス１８が横ガイド溝２１に沿ってスライドし、スライドカムラック２５を右方向へ送ると共に上記スライドカム２４は右方向へ移動する。
【００１９】
図４、図５はスライドカム２４とトラバースユニット２８との関係を示している。図５(ａ)はトラバースユニット２８が上昇している場合で、ディスクはターンテーブルに装着されてクランプ状態にあり、(ｂ)はトラバースユニット２８が降下してトレイ１１が搬出されている場合である。
【００２０】
ところで、スライドカム２４はスライドカムラック２５に噛み合うトレイ開閉ギア１７の回転にて横方向へスライドすることが出来る。そして、スライドカム２４に設けているカム溝に沿ってボス２９は上下動し、トラバースユニット２８を昇降動させることが出来る。カムロッドボス１８が上方へ突出し、片端部にはスライドカムラック２５を有している。そしてカム溝は垂直面内に上下に段差をもって形成されている。
【００２１】
図６はスライドカム２４の概略図であり、スライドカム２４にはカム溝３０が形成され、傾斜溝３１の両端には水平溝３２ａ，３２ｂが連続して形成され、トラバースユニット２８の先端に設けているボス２９はカム溝３０に遊嵌し、スライドカム２４のスライド運動に伴ってボス２９は上下動することが出来る。
【００２２】
ところで、ボス２９の断面拡大図を(ｂ)に示しているように、スリット溝３３が水平に切込まれてボス片３４ａ，３４ｂに分断されている。従って、スライドカム２４がスライドすることでボス２９はカム溝３０を移動するが、傾斜溝３１と水平溝３２ａ，３２ｂの境界に差し掛かった際には、細くなったボス片３４ａ，３４ｂは撓み変形して衝撃が緩和される。そして、衝撃に伴う騒音の発生を抑えることが出来る。
【００２３】
図７はボス２９の撓み変形量と荷重の関係を表している。(ａ)は従来のボスであり、(ｂ)は図６に示すようなスリット溝３３を設けたボス２９の場合を表している。このように、スリット溝３３を設けることで低荷重がかかる領域ではボスの撓み変形量が大きく、カム溝３０を移動するに際して適度に変形することで異音の発生を防止出来る。
【００２４】
そして、衝撃が作用する領域では、一方のボス片３４ａの撓み変形にてスリット溝３３が塞がり、他のボス片３４ｂに当接して共に撓み変形することが出来る。従って、強度上はスリット溝３３の無い従来のボスと変わりない。このように、ボス２９にスリット溝３３を設けることで、「撓み易い領域」と「強度の高い領域」とを兼ね備えることが可能と成る。同図の曲線(ｂ)において、Ａ点は一方のボス片３４ａが撓み変形して他方のボス片３４ｂに当接した場合であり、その後は両ボス片３４ａ，３４ｂが共に変形することで荷重は大きく立ち上がる。
【００２５】
図８はボス２９を表す別形態であって、ボス２９の基部に凹部３５を形成し、凹部底から延びている。従って、ボス２９の長さが長くなり、その分だけ撓み変形し易くなる。すなわち、ディスク装置のコンパクト化を図るために、先端面３６からのボス２９の突出長さが制約される場合、先端面３６に凹部３５を形成すると共に、該凹部底からボス２９を立ち上げることが出来る。
【００２６】
ここで、実施例で示すスリット溝３３は水平面を成しているが、カム溝３０の形状に応じて適当な向きに変更することは自由である。しかも、スリット溝を２本形成することで、４本のボス片に分割することも可能である。
【００２７】
図９はボスにスリット溝を形成したディスククランプ機構であり、前記図６の別構造を表している。スライドカム２４にはカム溝３０が形成され、傾斜溝３１の両端には水平溝３２ａ，３２ｂが連続して形成され、トラバースユニット２８の先端に設けているボス２９はカム溝３０に遊嵌し、スライドカム２４のスライド運動に伴ってボス２９は上下動することが出来る点は前記実施例と同じである。
【００２８】
ところで、ボス２９の断面拡大図を(ｂ)に示しているように、スリット溝３７ａ，３７ｂ，３７ｃが突出方向に対して垂直に切込まれてボス片３８ａ，３８ｂ，３８ｃに分断されている。従って、スライドカム２４がスライドすることでボス２９はカム溝３０を移動するが、傾斜溝３１と水平溝３２ａ，３２ｂの境界に差し掛かった際には、ボス片３８ａ，３８ｂ，３８ｃは撓み変形して衝撃が緩和される。そして、衝撃に伴う騒音の発生を抑えることが出来る。
【００２９】
すなわち、スリット溝３７ａ，３７ｂ，３７ｃを設けることで低荷重がかかる領域ではボスの撓み変形量が大きく、カム溝３０を移動するに際して適度に変形することで異音の発生を防止出来る。そして、衝撃が作用する領域では、ボス２９の撓み変形にてスリット溝３７ａ，３７ｃ、又は３７ｂが塞がり、大きな荷重に耐えることができる。
【図面の簡単な説明】
【００３０】
【図１】ディスク装置の外観図。
【図２】ディスク装置の内部構造図。
【図３】トレイを後退させた場合のディスク装置の内部構造図。
【図４】トラバースユニットとスライドカムの関係。
【図５】トラバースユニットとスライドカムの関係。
【図６】ボスにスリット溝を形成したディスククランプ機構。
【図７】ボスの撓み曲線。
【図８】スリット溝を形成したボスの他の具体体。
【図９】ボスにスリット溝を形成した他のディスククランプ機構。
【図１０】ディスク装置の断面図。
【図１１】従来のディスククランプ機構。
【符号の説明】
【００３１】
11  トレイ
12  プッシュボタン
13  化粧板
14  キャビネット
15  トレイラック
16  トレイガイド溝
17  トレイ開閉ギア
18  カムロッドボス
19  送りモータ
20  縦ガイド溝
21  横ガイド溝
22  コーナーガイド溝
23  湾曲部
24  スライドカム
25  スライドカムラック
28  トラバースユニット
29  ボス
30  カム溝
31  傾斜溝
32  水平溝
33  スリット溝
34  ボス片
35  凹部
36  先端面
37  スリット溝
38  ボス片
【図１】
2005135508.tif 000003
【図２】
2005135508.tif 000004
【図３】
2005135508.tif 000005
【図４】
2005135508.tif 000006
【図５】
2005135508.tif 000007
【図６】
2005135508.tif 000008
【図７】
2005135508.tif 000009
【図８】
2005135508.tif 000010
【図９】
2005135508.tif 000011
【図１０】
2005135508.tif 000012
【図１１】
2005135508.tif 000013